(57)【要約】【課題】外部機器と表示機器とを接続する場合に、ＡＣカップリング回路が配置されたＡＣ信号用端子を用いてＡＣ信号とＤＣ信号とを伝送した場合でもＡＣ／ＤＣ信号の信号品位を確保できる技術を提供する。【解決手段】ＡＣモードでは、制御部２０は、ＡＣ信号の経路（ＡＣ経路ＬＡ）中に配置されたオーディオ信号用スイッチ５３をオンさせて、ＤＣ信号の経路（入力側ＤＣ経路ＬＤ＿ＩＮ及び出力側ＤＣ経路ＬＤ＿ＯＵＴ）中に配置された制御出力用スイッチ５１及び制御入力用スイッチ５２をオフさせる。ＤＣモードでは、音声信号を取得しないので、オーディオ信号用スイッチ５３をオフさせ、制御出力用スイッチ５１及び制御入力用スイッチ５２をオンさせる。【選択図】図２
2015035736.tif 000002
【特許請求の範囲】
【請求項１】
ＡＣ信号の信号端子と、
前記信号端子の信号を処理する制御部と、
前記信号端子から前記制御部との間で前記ＡＣ信号が伝送されるＡＣ経路と、
前記信号端子から前記制御部との間でＤＣ信号が伝送されるＤＣ経路と、
前記制御部の制御によって、前記ＤＣ経路をオンオフさせるＤＣ経路スイッチと、
を有し、
前記ＡＣ経路は、コンデンサによって前記制御部に対してカップリングされており、
前記制御部は、前記ＤＣ信号を伝送するＤＣモードのときに前記ＤＣ経路スイッチをオンに制御し、前記ＡＣ信号を伝送するＡＣモードのときに前記ＤＣ経路スイッチをオフに制御する
ことを特徴とする表示装置。
【請求項２】
前記ＡＣモードのときに前記ＡＣ経路をオンし、前記ＤＣモードのときに前記ＡＣ経路をオフするＡＣ経路スイッチを備えることを特徴とする請求項１に記載の表示装置。
【請求項３】
前記ＤＣ経路スイッチはＦＥＴであって、前記ＡＣモードにおいて、前記信号端子に重畳された前記ＡＣ信号がマイナス振幅の信号状態であっても、オンしないように、オンオフに関する制御信号が設定されていることを特徴とする請求項１または２に記載の表示装置。
【発明の詳細な説明】
【技術分野】
【０００１】
本発明は、表示装置に係り、外部からアナログ信号（ＡＣ信号）を取得可能な表示装置に関する。
【背景技術】
【０００２】
一般的に、テレビ等の表示装置は、多くの機種で外部機器との連携が可能となっている。連携の為には所定のケーブルで接続されるが、近年では大容量データの高速化や機器制御のインテリジェント化等の観点から、ＨＤＭＩ（登録商標）端子やＤ端子等のデジタルテレビ用端子が用いられる。
【０００３】
一方、接続した機器同士のオンオフ制御等の比較的シンプルで低負荷な信号伝送にはアナログ端子を用いられることもある。例えば、機器の外部音声端子に用いられる３．５φステレオミニジャックを４極構成として、２極をＡＣ信号であるアナログ・ステレオ信号（以下、「ステレオ信号」と言う。）の入力用に１極をＤＣ信号である制御信号等の入出力用に用い、残り１極をＧＮＤとする技術がある。
【０００４】
また、ビデオ信号入力用の端子自体をＤＣ直結とＡＣカップリングの両タイプの信号に適用させる技術もある。具体的には、入出力兼用端子に接続される信号出力側の機器がＤＣ直結で電流シンク能力がない場合にも、入力信号の波形が歪まない入出力兼用端子装置が開示されている（例えば、特許文献１参照）。
【先行技術文献】
【特許文献】
【０００５】
【特許文献１】特開２０１０−６８３８４号公報
【発明の概要】
【発明が解決しようとする課題】
【０００６】
ところで外部機器との信号送受信にＨＤＭＩ端子やＤ端子等の空きピンを用いることがあるが、伝送信号に規格上の利用内容に制約があったり所定の認証が必要となったりするためハンドリングが難しかったり、コストが掛かってしまうということもあった。表示機器と接続する外部機器がＡＶ機器のような場合にはそのような規格による接続が実質的に必須であるが、必ずしも高度な規格による接続が必要とされない場合もある。また、製品が投入される国・地域によっては、伝送に使用されるケーブル等の観点から、市場で確保しやすく低コストなケーブルを利用できる３．５φステレオミニジャック（アナログ端子）や３線式のコンポジット／オーディオケーブル等による機器接続の技術が求められていた。また、デジタル信号の接続端子は、ＡＶ機器との接続に使用し、それ以外の機器、例えば、タイマー装置等の機器との接続には、アナログ端子を用いたいという要望もあった。また、アナログ端子からのＡＣ信号の入力には、入力端子から音声制御部等までの経路にキャパシタを配置するＡＣカップリング回路が採用された表示装置が多く、ＡＣカップリング回路ではＤＣ信号はカットされてしまい、特許文献１の技術では対応ができず別の技術が必要とされていた。
【０００７】
本発明は以上のような状況に鑑みなされたものであって、上記課題を解決する技術を提供することを目的とする。
【課題を解決するための手段】
【０００８】
本発明の表示装置は、ＡＣ信号の信号端子と、前記信号端子の信号を処理する制御部と、前記信号端子から前記制御部との間で前記ＡＣ信号が伝送されるＡＣ経路と、前記信号端子から前記制御部との間でＤＣ信号が伝送されるＤＣ経路と、前記制御部の制御によって、前記ＤＣ経路をオンオフさせるＤＣ経路スイッチと、を有し、前記ＡＣ経路は、コンデンサによって前記制御部に対してカップリングされており、前記制御部は、前記ＤＣ信号を伝送するＤＣモードのときに前記ＤＣ経路スイッチをオンに制御し、前記ＡＣ信号を伝送するＡＣモードのときに前記ＤＣ経路スイッチをオフに制御する。
また、前記ＡＣモードのときに前記ＡＣ経路をオンし、前記ＤＣモードのときに前記ＡＣ経路をオフするＡＣ経路スイッチを備えてもよい。
また、前記ＤＣ経路スイッチはＦＥＴであって、前記ＡＣモードにおいて、前記信号端子に重畳された前記ＡＣ信号がマイナス振幅の信号状態であっても、オンしないように、オンオフに関する制御信号が設定されてもよい。
【発明の効果】
【０００９】
本発明によれば、外部機器と表示機器とを接続する場合に、ＡＣカップリング回路が配置されたＡＣ信号用端子を用いてＡＣ信号とＤＣ信号とを伝送した場合でもＡＣ／ＤＣ信号の信号品位を確保できる技術を提供できる。
【図面の簡単な説明】
【００１０】
【図１】実施形態に係る、テレビと外部機器とが接続された状態を示す図である。
【図２】実施形態に係る、テレビのオーディオ入力端子から制御部までの信号経路を示す信号入出力の回路図である。
【図３】実施形態に係る、ＤＣモード時のテレビにおける処理を示すフローチャートである。
【図４】実施形態に係る、ＡＣモード時のテレビにおける処理を示すフローチャートである。
【図５】実施形態に係る、ＤＣモード時の外部機器における処理を示すフローチャートである。
【図６】実施形態に係る、図２の回路図を具体的な構成で示す信号入出力の回路図である。
【図７】実施形態に係る、ゲート制御信号の出力回路例を示す図である。
【図８】実施形態に係る、図６の回路図を実現する好適な信号入出力の回路例を示す図である。
【図９】実施形態の変形例に係る、信号入出力の回路図である。
【発明を実施するための形態】
【００１１】
次に、本発明を実施するための形態（以下、単に「実施形態」という）を、図面を参照して具体的に説明する。
【００１２】
図１は、本実施形態に係るテレビ１０が外部機器９０と接続された状態を示している。ここでは、外部機器９０との信号送受信に着目した構成を示している。図示のように、テレビ１０は、制御部２０及びオーディオ入力端子４０を備えている。外部機器９０から延びるケーブル９２はオーディオ入力端子４０に接続されている。外部機器９０として、テレビ１０をタイマー駆動させるための機器やテレビ１０で有料放送を視聴可能にする機器等である。また、表示装置としてテレビ１０を例示するが、ＤＶＤレコーダ等についても適用可能である。また、オーディオ入力端子４０は、音声信号出力兼用の端子であってもよい。
【００１３】
オーディオ入力端子４０は、例えば、ステレオ音声信号を受信可能な３．５φステレオミニジャック（３極アナログ端子）である。制御部２０は、テレビ１０と外部機器９０との間で信号の送受信を制御するとともに所定の音声処理を行う。
【００１４】
詳細は以下で説明するが、制御部２０は、ＡＣモードでは、ＡＣ信号である音声信号を外部機器９０から取得する。ＡＣモードでは、テレビ１０の表示処理は行われず、取得した音声信号をスピーカーから出力する。また、ＤＣモードでは、制御部２０は、テレビ１０と外部機器９０との間でＤＣ信号を相互に送受信する。ＤＣモードで外部機器９０において認証された場合、テレビ１０は表示処理を行うことができる。ＡＣモードとＤＣモードの切り換え処理は、例えば、リモコンの所定のボタンを押下することで行われたり、通常はＤＣモードが設定され、テレビ１０のスピーカー機能のみを利用する場合には所定のスイッチによってＡＣモードとして機能することで行われる。なお、ＡＣ信号及びその入出力端子として、音声信号及びオーディオ入力端子４０を例示するが、アナログビデオ信号及びビデオ入力端子についても適用することができる。
【００１５】
図２は、テレビ１０における外部機器９０との信号送受信に係る概略の回路構成を示している。
【００１６】
制御部２０は、入出力端子として、オーディオ信号用端子２１（ＡＵＤＩＯ＿ＩＮ）、制御出力用端子２２（ＤＣ＿ＯＵＴ）、制御入力用端子２３（ＤＣ＿ＩＮ）及びスイッチ制御用端子２４（ＣＴＬ）を備える。
【００１７】
オーディオ信号用端子２１は、ＡＣモードのときに、オーディオ入力端子４０からステレオ信号（ＡＣ信号）を取得する。ステレオ信号のＬ−ｃｈ信号及びＲ−ｃｈ信号に対応して、オーディオ信号用端子２１として２端子が配置されている。ＤＣモードのときには、制御出力用端子２２及び制御入力用端子２３がＤＣ信号を送受信する。
【００１８】
オーディオ入力端子４０からオーディオ信号用端子２１には、Ｌ―ｃｈ信号、Ｒ―ｃｈ信号に対応して２つのＡＣ経路ＬＡが設けられている。それぞれのＡＣ経路ＬＡ中にはカップリング用コンデンサ４２（ＡＣカップリング回路）が配置されている。さらに、カップリング用コンデンサ４２とオーディオ信号用端子２１の間にはオーディオ信号用スイッチ５３が配置されている。オーディオ信号用スイッチ５３は、スイッチ制御用端子２４から出力されるスイッチ制御信号でオン／オフ制御される。なお、ＡＣ信号（音声信号）は、制御部２０またはカップリング用コンデンサ４２より下流（制御部２０）側の経路で、クリップしないようにバイアスされる。
【００１９】
オーディオ入力端子４０からオーディオ信号用端子２１へ延びる二つのＡＣ経路ＬＡは、それぞれカップリング用コンデンサ４２より上流側で分岐する。
【００２０】
Ｌ−ｃｈ信号の経路は、分岐後、出力側ＤＣ経路ＬＤ＿ＯＵＴとなり、制御出力用端子２２に接続される。Ｒ−ｃｈ側の信号経路は、分岐後、入力側ＤＣ経路ＬＤ＿ＩＮとなり、入力側制御入力用端子２３に接続される。オーディオ入力端子４０と制御出力用端子２２の信号経路（出力側ＤＣ経路ＬＤ＿ＯＵＴ）中には制御出力用スイッチ５１（ＳＷ＿Ｏｕｔ）が配置される。制御出力用スイッチ５１は、スイッチ制御用端子２４から出力されるスイッチ制御信号でオン／オフ制御される。出力側ＤＣ経路ＬＤ＿ＯＵＴには、制御出力用端子２２から出力されるＤＣ送信信号（Ｓｏ）が伝送される。
【００２１】
同様に、オーディオ入力端子４０と制御入力用端子２３の信号経路（入力側ＤＣ経路ＬＤ＿ＩＮ）中には制御入力用スイッチ５２（ＳＷ＿Ｉｎ）が配置される。制御入力用スイッチ５２は、制御出力用端子２２から出力されるスイッチ制御信号でオン／オフ制御される。入力側ＤＣ経路ＬＤ＿ＩＮには、制御入力用端子２３において受信されるＤＣ受信信号（Ｓｉ）が伝送される。
【００２２】
ＡＣモードでは、制御部２０は、外部機器９０から音声信号であるＡＣ信号を取得することから、ＡＣ経路ＬＡ中に配置されたオーディオ信号用スイッチ５３をオンさせて、ＤＣ信号の経路（入力側ＤＣ経路ＬＤ＿ＩＮ、出力側ＤＣ経路ＬＤ＿ＯＵＴ）中に配置された制御出力用スイッチ５１及び制御入力用スイッチ５２をオフさせる。ＤＣモードでは、音声信号を取得しないので、オーディオ信号用スイッチ５３をオフさせ、制御出力用スイッチ５１及び制御入力用スイッチ５２をオンさせる。
【００２３】
ここでは一つのスイッチ制御用端子２４から出力されるスイッチ制御信号が、オーディオ信号用スイッチ５３、制御出力用スイッチ５１、制御入力用スイッチ５２をオンオフさせる。つまり、所定のスイッチ制御信号でオーディオ信号用スイッチ５３がオンする場合は、制御出力用スイッチ５１及び制御入力用スイッチ５２はオフする。具体的には、スイッチ制御用端子２４がハイの場合、制御出力用スイッチ５１及び制御入力用スイッチ５２がオンして、オーディオ信号用スイッチ５３がオフする。スイッチ制御用端子２４がローの場合、制御出力用スイッチ５１及び制御入力用スイッチ５２がオフして、オーディオ信号用スイッチ５３がオンする。
【００２４】
以上の構成によるＡＣモード及びＤＣモードの処理について図３〜図５を参照して説明する。
【００２５】
まず図３のフローチャートを参照して、ユーザがＤＣモードを設定したときのテレビ１０の動作を説明する。
【００２６】
ユーザがＤＣモードを設定した場合（Ｓ１０）、制御部２０は、スイッチ制御用端子２４の出力をハイに設定する（Ｓ１２）。その結果、制御出力用スイッチ５１及び制御入力用スイッチ５２はオンし、オーディオ信号用スイッチ５３はオフする（Ｓ１４）。
【００２７】
つづいて、テレビ１０の制御部２０は、制御出力用スイッチ５１から所定のコマンド（ＤＣ送信信号（Ｓｏ））を外部機器９０へ定期的に出力する（Ｓ１６）。
【００２８】
さらに、制御部２０は、制御入力用スイッチ５２で所定のデジタル信号（ＤＣ入力信号（Ｓｉ））を受信する（Ｓ１８）。
【００２９】
制御部２０は、受信したデジタル信号（ＤＣ受信信号（Ｓｉ））が適合信号か否かを判断する（Ｓ２０）。つまり、テレビ１０においてコンテンツ（映像及び音声）の出力を許可する信号であるか否かを判断する（Ｓ２０）。
【００３０】
適合信号であれば（Ｓ２０のＹ）、制御部２０は、映像・音声出力の動作を行う（Ｓ２２）。つまり、テレビ１０のチューナー等で受信したコンテンツ等の表示及び音声の出力処理がなされる。適合信号でなければ（Ｓ２０のＮ）、制御部２０は映像・音声出力のミュート処理を行う（Ｓ２４）。映像・音声出力処理（Ｓ２２）又は映像・音声出力のミュート処理（Ｓ２４）がなされると、ＤＣモードがオンの間、制御入力用スイッチ５２におけるＤＣ受信信号（Ｓｉ）の受信処理に戻る（Ｓ１８）。
【００３１】
つづいて、図４を参照して、ＡＣモードのときのテレビ１０の動作を説明する。
ユーザがＡＣモードを設定すると（Ｓ１１０）、制御部２０はスイッチ制御用端子２４の出力をローに設定する（Ｓ１１２）。
【００３２】
その結果、制御出力用スイッチ５１及び制御入力用スイッチ５２はオフし、オーディオ信号用スイッチ５３はオンする（Ｓ１１４）。制御部２０は、オーディオ入力端子４０から取得した音声信号（ＡＣ信号）の出力処理を行う（Ｓ１１６）。このとき、テレビ１０のチューナー等のコンテンツ出力処理はなされない。
【００３３】
つづいて、図５を参照してＤＣモードのときの外部機器９０の動作を説明する。
外部機器９０は、電源がオンの状態において、テレビ１０から出力されるコマンド（ＤＣ送信信号（Ｓｏ））を待ち受ける（Ｓ２１０）。外部機器９０は、所定のコマンドを受信すると（Ｓ２１２）、コマンドの整合性と外部機器９０内の状態を確認し（Ｓ２１４）、動作許可（テレビ１０の表示処理等の許可）をする信号を送信して良いかを判断する（Ｓ２１６）。例えば、外部機器９０がタイマー機能としての動作を行う場合、出力可能時間があるか否かを確認する。
【００３４】
動作許可の信号を送信してよいと判断すると（Ｓ２１６のＹ）、外部機器９０は所定の信号（動作許可をする信号）をテレビ１０にケーブル９２を介して出力するとともに内部状態を変化させる（Ｓ２１８）。内部状態とは、タイマー機能における出力可能時間などである。内部状態の変更（Ｓ２１８）の終了後及び動作許可の信号を送信しない場合（Ｓ２１６のＮ）、外部機器９０は処理を外部機器９０からのコマンド待ち受けに戻す（Ｓ２１０）。
【００３５】
このような回路構成を採用することで、外部機器９０とテレビ１０とを接続する場合に、ＡＣカップリング回路（カップリング用コンデンサ４２）が配置された経路に接続されるオーディオ入力端子４０を用いてＡＣ信号とＤＣ信号とを伝送した場合でもＡＣ／ＤＣ信号の信号品位を確保できる。また、オーディオ入力端子４０として３．５φステレオミニジャック（アナログ端子）を用いることができるので、コストやハンドリングの観点から利用しやすい。また、仮に所定の規格にＡＣ信号とＤＣ信号とを共通に伝送する必要が生じるような仕様変更があっても、外部機器９０の仕様を変更しなくてよい。つまり、新たな規格に基づいてテレビ１０が設計された場合でも、外部機器９０の設計変更が不要である。
【００３６】
つづいて、上記の動作を行うための図２で説明した制御部２０とオーディオ入力端子４０の間の信号回路について、より具体的な構成を図６を参照して説明する。
【００３７】
図２で例示した回路では、制御出力用スイッチ５１、制御入力用スイッチ５２等について特に限定した構成としていない。一般に、制御出力用スイッチ５１、制御入力用スイッチ５２等に関して物理的なリレー回路を採用した場合、回路構成が物理的に大きくなってしまう可能性が高い。また、振動発生や故障しやすいという課題もある。そこで、図６で説明する回路構成では、テレビ１０に搭載しやすい回路構成として、制御出力用スイッチ５１、制御入力用スイッチ５２にＦＥＴを用いた例を挙げる。
【００３８】
具体的には、制御出力用スイッチ５１として、Ｎチャネルの第１出力用ＦＥＴ５１ａ及びＮチャネルの第２出力用ＦＥＴ５１ｂが直列に配置される。ここでは、第１出力用ＦＥＴ５１ａ及び第２出力用ＦＥＴ５１ｂのドレイン端子同士が接続される。第１出力用ＦＥＴ５１ａのソース端子はオーディオ入力端子４０（Ｌ−ｃｈ）に接続される。第２出力用ＦＥＴ５１ｂのソース端子は、所定の出力抵抗Ｒ＿ｏｕｔを介して制御出力用端子２２に接続される。第１出力用ＦＥＴ５１ａ及び第２出力用ＦＥＴ５１ｂの各ゲート端子は第１スイッチ制御用端子２４ａに接続され、第１スイッチ制御信号ＳＧ１で制御される。
【００３９】
なお、制御出力用端子２２を電源供給端子とし、出力抵抗Ｒ＿ｏｕｔを取り除き、第１及び第２出力用ＦＥＴ５１ａ、５１ｂをパワーＭＯＳＦＥＴ等にすることで、Ｌ−ｃｈの経路（出力側ＤＣ経路ＬＤ＿ＯＵＴ）を介して、外部機器９０へＤＣ電源を供給することも可能である。
【００４０】
制御入力用スイッチ５２として、Ｎチャネルの第１入力用ＦＥＴ５２ａとＮチャネルの第２入力用ＦＥＴ５２ｂが直列に配置される。ここでは、第１入力用ＦＥＴ５２ａ及び第２入力用ＦＥＴ５２ｂのドレイン端子同士が接続される。第１入力用ＦＥＴ５２ａのソース端子はオーディオ入力端子４０（Ｒ−ｃｈ）に接続される。第２入力用ＦＥＴ５２ｂのソース端子は、制御入力用端子２３に接続される。第１入力用ＦＥＴ５２ａのゲート端子は第１スイッチ制御用端子２４ａに接続され、第１スイッチ制御信号ＳＧ１で制御される。第２入力用ＦＥＴ５２ｂのゲート端子は第２スイッチ制御用端子２４ｂに接続され、第２スイッチ制御信号ＳＧ２で制御される。オーディオ信号用スイッチ５３は、第２入力用ＦＥＴ５２ｂと同じく第２スイッチ制御用端子２４ｂの第２スイッチ制御信号ＳＧ２で動作する。
【００４１】
第１入力用ＦＥＴ５２ａ及び第２入力用ＦＥＴ５２ｂのドレイン端子間は、所定の第１の電源電位Ｖｄｄ１に第１のプルアップ抵抗Ｒ＿Ｐ１を介して接続される。また、第２入力用ＦＥＴ５２ｂのソース端子と制御入力用端子２３の間は所定の第２の電源電位Ｖｄｄ２に第２のプルアップ抵抗Ｒ＿Ｐ２を介して接続される。例えば、第１のプルアップ抵抗Ｒ＿Ｐ１、第２のプルアップ抵抗Ｒ＿Ｐ２は数ｋΩといった値に設定される。また、第１及び第２の電源電位Ｖｄｄ１、Ｖｄｄ２は３．３Ｖであって、制御部２０がＬＳＩで構成される場合の定格電圧を守れる値である。上述の出力抵抗Ｒ＿Ｏｕｔは出力インピーダンス調整のため、例えば０Ω〜数百Ωといった値に設定される。
【００４２】
第１スイッチ制御用端子２４ａからは、オンオフ制御する第１第１スイッチ制御信号ＳＧ１として、ハイ電圧、ロー電圧が出力される。第１出力用ＦＥＴ５１ａ、第２出力用ＦＥＴ５１ｂ及び第１入力用ＦＥＴ５２ａは、第１スイッチ制御信号ＳＧ１がハイのときにオンする。第１スイッチ制御信号ＳＧ１のロー電圧はオーディオ入力端子４０に入力されるＡＣ信号（音声信号）のミニマム値を考慮して設計する。
【００４３】
第２入力用ＦＥＴ５２ｂのゲート端子とオーディオ信号用スイッチ５３のスイッチ制御端子は、制御部２０の第２スイッチ制御用端子２４ｂ（ＣＴＬ２）に接続される。第２スイッチ制御用端子２４ｂからは、オンオフ制御する第２スイッチ制御信号ＳＧ２として、ハイ電圧３．３Ｖ、ロー電圧０Ｖが出力される。第２入力用ＦＥＴ５２ｂは第２スイッチ制御信号ＳＧ２がハイのときオンする。オーディオ信号用スイッチ５３は、第２スイッチ制御信号ＳＧ２がローのときオンする。なお、本回路構成では、制御部２０と外部機器９０におけるＤＣ信号の定格電圧として、同じ３．３Ｖを想定している。
【００４４】
なお、オーディオ信号用スイッチ５３がオフとする構成に限らず、オーディオ信号用端子２１へＤＣ信号が入力しなければよい。またＤＣ信号の品位的に許容され、制御部２０の内部で音声がミュートされているのであれば、オーディオ信号用端子２１へデジタル信号が入力されてもよい。また、各ＦＥＴはＮチャネルであるので、ゲート端子にスイッチ制御信号（ゲート制御信号）としてハイ電圧が印加されることでドレイン−ソース間が導通（オン）となる。導通する電圧は、「ゲート電圧−Ｖｇｓ（ｔｈ）」以下となるので、ＦＥＴが適切な電圧範囲を導通させるようにゲート電圧を設定する。
【００４５】
第１及び第２スイッチ制御信号ＳＧ１、ＳＧ２の電圧を、第１及び第２出力用ＦＥＴ５１ａ、５１ｂが配置される経路（出力側ＤＣ経路ＬＤ＿ＯＵＴ）及び第１及び第２入力用ＦＥＴ５２ａ、５２ｂが配置される経路（入力側ＤＣ経路ＬＤ＿ＩＮ）にかかる最小入力電圧−Ｖｇｓ（ｔｈ）より低く保つことでアイソレーションが維持される。例えば、最小入力電圧が−３Ｖ、Ｖｇｓ（ｔｈ）が１．２Ｖなら、必要なゲート電圧は−１．８Ｖ以下となる。なお、ＦＥＴのオンオフ制御及びＡＣ信号の引き込み防止の観点からは、ＡＣ信号が入力されるオーディオ入力端子４０側のＦＥＴ（第１出力用ＦＥＴ５１ａ、第２出力用ＦＥＴ５１ｂ）のスイッチ制御信号（第１スイッチ制御信号ＳＧ１）がオフ時にアイソレーションできる電圧であればよい。したがって、第２入力用ＦＥＴ５２ｂが第１スイッチ制御信号ＳＧ１で動作するように構成されてもよい。つまり、ゲート制御信号は１種類でもよい。
【００４６】
なお、制御部２０がＬＳＩで一体構成される場合、マイナス出力が出来ない場合がある。また、５Ｖ以上といった高い電圧を出力出来ない場合がある。そのような場合、図７に示す回路で、１つのゲート制御信号をレベルシフトさせた第１及び第２スイッチ制御信号ＳＧ１、ＳＧ２に変換し出力することが出来る。
【００４７】
図８は、図６に示した回路において第１及び第２出力用ＦＥＴ５１ａ、５１ｂと第１及び第２入力用ＦＥＴ５２ａ、５２ｂに市場で入手が容易なディスクリートＭＯＳＦＥＴを適用した回路構成を示す。
【００４８】
より具体的には、第１出力用ＦＥＴ５１ａと第２出力用ＦＥＴ５１ｂのドレイン端子間は所定のプルアップ抵抗Ｒを介して第１の電源電位Ｖｄｄ１に接続される。同様に、第１入力用ＦＥＴ５２ａと第２入力用ＦＥＴ５２ｂのドレイン端子間は所定のプルアップ抵抗Ｒを介して第１の電源電位Ｖｄｄ１に接続される。
【００４９】
第２出力用ＦＥＴ５１ｂのソース端子と制御出力用端子２２との間は、所定のプルアップ抵抗Ｒを介して第２の電源電位Ｖｄｄ２に接続される。同様に、第２入力用ＦＥＴ５２ｂのソース端子と制御入力用端子２３の間は所定のプルアップ抵抗Ｒを介して第２の電源電位Ｖｄｄ２に接続される。この例では、制御出力用端子２２はハイインピーダンス／Ｌｏｗ出力のオープンドレイン論理を取ることが通常考えられる。
【００５０】
ここで、第１の電源電位Ｖｄｄ１は５．０Ｖに、第２の電源電位Ｖｄｄ２は３．３Ｖに設定される。ＤＣ信号の定格電圧として、制御部２０が３．３Ｖレベルを要求し、外部機器９０側が定格電圧として５Ｖレベルを要求する場合を想定する。ここで、Ｎ−ｃｈのＭＯＳＦＥＴでは、ゲート電圧より高い電圧の信号をドレインからソース方向へは通さない。したがって、このような構成とすることで、ドレイン側から高い電圧（例えば５Ｖ）がかかった場合でも、制御部２０側が３．３Ｖ以上の電圧となることを防止できる。
【００５１】
ＬＳＩ内部で実装するのであれば構成するＦＥＴ特性（特にオン電圧）や保護素子について自由な設計が出来ると思われるが、そのような回路は費用対効果の観点から採用できない場合がある。しかし、一般的に流通しているディスクリート設計の場合は使える品種に制約があり、従来技術では対応が難しかった。
【００５２】
しかし、本実施形態では、市場に流通しているディスクリートＭＯＳＦＥＴ部品は静電保護のために内部にダイオードを備えているのが一般的であって、±０．６Ｖ程度を超えると（ただし±どちらでオンするかはドレイン・ソースの向きによる）内部の保護ダイオードがオンすることにも対応することができる。
【００５３】
また、信号の品位を保った上で「ＡＣ結合信号（±電圧が存在）」、「ＤＣ結合のデジタル信号」を切り換えて信号を送受信する回路構成となっている。また、マイナス電位レベルが大きい場合でもカップリング回路とカップリングしないＤＣ回路を電気的に分離することができる。
【００５４】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【００５５】
図９は、図８に示した実施形態の変形例であり、主に異なる構成について説明する。図９の構成では、第１出力用ＦＥＴ５１ａのゲート端子とソース端子とを所定の抵抗を介して接続している。同様に、第１入力用ＦＥＴ５２ａのゲート端子とソース端子とを所定の抵抗を関して接続している。
【００５６】
このような構成とすることで、オン時には、第１出力用ＦＥＴ５１ａ及び第１入力用ＦＥＴ５２ａの各ゲート端子に電圧を印加する。ここでは、ゲート制御電圧ＳＧ１が印加される。ドレイン−ゲート間の抵抗はゲート制御電圧ＳＧ１に係る出力インピーダンスよりも十分大きくなるように設定する。その結果、ゲート制御電圧ＳＧ１はドレイン−ソース間を目標電圧までドライブできるようになる。
【００５７】
また、オフ時には、第１出力用ＦＥＴ５１ａ及び第１入力用ＦＥＴ５２ａのゲート端子への電圧印加回路はＨｉ−Ｚとする。その結果、ＡＣ信号のマイナス電圧がかかっても抵抗を通してゲートにもＡＣ信号自身と同じ電圧レベルがかかるため、第１出力用ＦＥＴ５１ａ及び第１入力用ＦＥＴ５２ａはオンにならない。また、マイナス電源が不要となる。
【符号の説明】
【００５８】
１０  テレビ
２０  制御部
２１  オーディオ信号用端子
２２  制御出力用端子
２３  制御入力用端子
２４  スイッチ制御用端子
２４ａ  第１スイッチ制御用端子
２４ｂ  第２スイッチ制御用端子
４０  オーディオ入力端子（信号端子）
４２  カップリング用コンデンサ
５１  制御出力用スイッチ
５１ａ  第１出力用ＦＥＴ
５１ｂ  第２出力用ＦＥＴ
５２  制御入力用スイッチ
５２ａ  第１入力用ＦＥＴ
５２ｂ  第２入力用ＦＥＴ
５３  オーディオ信号用スイッチ
９０  外部機器
９２  ケーブル
ＬＡ  ＡＣ経路
ＬＤ＿ＩＮ  入力側ＤＣ経路
ＬＤ＿ＯＵＴ  出力側ＤＣ経路
【図１】
2015035736.tif 000003
【図２】
2015035736.tif 000004
【図３】
2015035736.tif 000005
【図４】
2015035736.tif 000006
【図５】
2015035736.tif 000007
【図６】
2015035736.tif 000008
【図７】
2015035736.tif 000009
【図８】
2015035736.tif 000010
【図９】
2015035736.tif 000011